(57)【特許請求の範囲】
【請求項１】
常時一定量の水を収容する水槽と、前記水槽内の水を加熱し温水とするヒーターと、前記温水の温度を測定する水温検知部と、前記水槽の水を気化するための気化エレメントと、前記水槽内の水を汲み上げて前記気化エレメントに給水する循環ポンプと、前記気化エレメントを通して送風を外部に放出する送風ファンとを備え、マイクロコンピュータにより制御を行うものにおいて、前記水温検知部により検知された水槽の温水温度と第１の記憶手段に記憶された所定温度とを比較して、温水温度が所定温度に達しているときに前記循環ポンプならびに前記送風ファンを動作させる作動手段と、前記水温検知部により検知された循環ポンプならびに前記送風ファンの動作による前記温水温度の変化を第２の記憶手段に記憶させた温度差と比較し前記循環ポンプの故障を判定する判定手段とを前記マイクロコンピュータにより構成したことを特徴とする加熱気化式加湿機。
【請求項２】
常時一定量の水を収容する水槽と、前記水槽内の水を加熱し温水とするヒーターと、前記温水の温度を測定する水温検知部と、前記水槽の水を気化するための気化エレメントと、前記水槽内の水を汲み上げて前記気化エレメントに給水する循環ポンプと、前記気化エレメントを通して送風を外部に放出する送風ファンとを備え、マイクロコンピュータにより制御を行うものにおいて、前記水温検知部により検知された水槽の温水温度と第１の記憶手段に記憶された所定温度とを比較して、温水温度が所定温度に達していないときはヒーターを動作させ、温水温度が所定温度に達するとヒーターを不動作とするとともに、前記循環ポンプならびに前記送風ファンを動作させる作動手段と、前記水温検知部により検知された循環ポンプならびに前記送風ファンの動作による前記温水温度の変化を第２の記憶手段に記憶させた温度差と比較し前記循環ポンプの故障を判定する判定手段とを前記マイクロコンピュータにより構成したことを特徴とする加熱気化式加湿機。
【請求項３】
前記判定手段による循環ポンプの故障判定回数を計数し、計数された故障判定回数が規定回数以上のとき循環ポンプが故障状態であると決定づける決定手段を設けたことを特徴とする請求項１または請求項２に記載の加熱気化式加湿機。
【請求項４】
常時一定量の水を収容する水槽と、前記水槽内の水を加熱し温水とするヒーターと、前記温水の温度を測定する水温検知部と、気化エレメントと、前記水槽内の水を汲み上げて前記気化エレメントに給水する循環ポンプと、前記気化エレメントを通して送風を外部に放出する送風ファンとを備えた加熱気化式加湿機の故障を検知するにあたり、前記循環ポンプならびに前記送風ファンの動作による温水温度の変化を前記水温検知部において検知し、その結果により前記循環ポンプの故障を判定することを特徴とする加熱気化式加湿機の故障検知方法。
【請求項５】
常時一定量の水を収容する水槽と、前記水槽内の水を加熱し温水とするヒーターと、前記温水の温度を測定する水温検知部と、気化エレメントと、前記水槽内の水を汲み上げて前記気化エレメントに給水する循環ポンプと、前記気化エレメントを通して送風を外部に放出する送風ファンとを備えた加熱気化式加湿機の故障を検知するにあたり、前記温水温度が所定温度に達した後に前記循環ポンプならびに前記送風ファンを動作させ、その後の温水温度の変化を前記水温検知部において検知し、その結果により前記循環ポンプの故障を判定することを特徴とする加熱気化式加湿機の故障検知方法。
【請求項６】
常時一定量の水を収容する水槽と、前記水槽内の水を加熱し温水とするヒーターと、前記温水の温度を測定する水温検知部と、気化エレメントと、前記水槽内の水を汲み上げて前記気化エレメントに給水する循環ポンプと、前記気化エレメントを通して送風を外部に放出する送風ファンとを備えた加熱気化式加湿機の故障を検知するにあたり、前記温水温度が所定温度に達した後に前記ヒーターを不動作とするとともに前記循環ポンプならびに前記送風ファンを動作させ、その後の温水温度の変化を前記水温検知部において検知し、その結果により前記循環ポンプの故障を判定することを特徴とする加熱気化式加湿機の故障検知方法。
【請求項７】
常時一定量の水を収容する水槽と、前記水槽内の水を加熱し温水とするヒーターと、前記温水の温度を測定する水温検知部と、気化エレメントと、前記水槽内の水を汲み上げて前記気化エレメントに給水する循環ポンプと、前記気化エレメントを通して送風を外部に放出する送風ファンとを備えた加熱気化式加湿機の故障を検知するにあたり、前記温水温度が所定温度に達していないときは前記ヒーターを動作させ、前記温水温度が所定温度に達すると前記ヒーターを不動作とするとともに前記循環ポンプならびに前記送風ファンを動作させ、その後の温水温度の変化を前記水温検知部において検知し、その結果により前記循環ポンプの故障を判定することを特徴とする加熱気化式加湿機の故障検知方法。
【請求項８】
前記温水温度の変化を前記水温検知部において複数回検知し、その結果により規定回数以上前記循環ポンプが故障とみなされた場合、前記循環ポンプの故障を決定することを特徴とする請求項４ないし請求項７のいずれかに記載の加熱気化式加湿機の故障検知方法。
【発明の詳細な説明】
【０００１】
【発明の属する技術分野】
この発明は、加熱気化式加湿機およびその故障検知方法に関し、特に、循環ポンプの故障検知に関するものである。
【０００２】
【従来の技術】
加熱気化式加湿機は、気化エレメントへ温水を給水し、その気化エレメントへ向け送風を行うことにより気化加湿を行っていた。
したがって、気化エレメントへ温水を給水しなければ加湿は行えず、加湿を行うには確実に気化エレメントへ温水が供給されている必要があった。
このため、気化エレメントへ温水が給水されているかを確認するのに、次に示すような方策を行っていた。
【０００３】
従来の加熱気化式加湿機において、気化エレメントへの給水に循環ポンプを使用する方式のものには、通常は流量計が取付けられており、この流量計により循環ポンプの故障を検知していた。
【０００４】
図４は、従来の加熱気化式加湿機の循環ポンプ故障検知方法を実施する制御装置の構成図である。
図中、１はマイクロコンピュータ（以下、マイコンという）であって、メモリ２，ＣＰＵ３，入力回路４および出力回路５を有しており、前記メモリ２に記憶されたプログラムにより加湿機の制御を行う。
【０００５】
７は水槽であり、常時一定量の水を収容する。６は水槽７内の水を加熱し、温水とする為のヒーターである。８は気化エレメントであり、温水を給水することにより加湿を行う。９は循環ポンプであり、水槽７内の温水を気化エレメント８へ供給し、循環させる。１２は循環ポンプ９から気化エレメント８へ供給される温水の流量を測定する流量計である。１０は送風ファンであり、気化エレメント８に向けて送風をすることにより加湿量を増加させる。
【０００６】
図５は、従来の加熱気化式加湿機の循環ポンプ故障検知方法を示すフローチャートである。
まず、ステップＳ１により循環ポンプ故障検知工程が開始されるとステップＳ２ｃに移行する。ステップＳ２ｃでは、マイコン１の出力回路５からヒーター６，送風ファン１０，循環ポンプ９をオンさせる信号が出力され、加熱気化加湿を開始する。
【０００７】
次に、ステップＳ３ｃでは、循環ポンプ９から気化エレメント８へ供給される温水の流量Ａを流量計１２により測定し、測定結果をマイコン１の入力回路４に対して出力する。
ステップＳ４ｃでは、ステップＳ３ｃでの測定された流量Ａと予めメモリ２に記憶されている規定流量ＢをＣＰＵ３で比較し、比較結果がＡ≧Ｂの場合には循環ポンプ９が正常に動作していると判定して、ステップＳ８へ移行し加湿制御を継続する。これに対してＣＰＵ３での比較結果がＡ≧Ｂとならなかった場合には循環ポンプ９が故障していると判定して、ステップＳ９へ移行し加湿制御を停止する。
【０００８】
【発明が解決しようとする課題】
しかしながら、このような従来の加熱気化式加湿機の循環ポンプ故障検知方法においては、循環ポンプ９が故障しているかの確認を行うのに、流量計１２が必要となる為、コストが高くなるという問題点があった。
【０００９】
この発明は、上記問題点を解消する為になされたもので、循環ポンプの故障を的確に検知することのできる加熱気化式加湿機およびその故障検知方法を提供することを目的としている。
【００１０】
【課題を解決するための手段】
第１の発明に係る加熱気化式加湿機では、常時一定量の水を収容する水槽と、前記水槽内の水を加熱し温水とするヒーターと、前記温水の温度を測定する水温検知部と、前記水槽の水を気化するための気化エレメントと、前記水槽内の水を汲み上げて前記気化エレメントに給水する循環ポンプと、前記気化エレメントを通して送風を外部に放出する送風ファンとを備え、マイクロコンピュータにより制御を行うものにおいて、前記水温検知部により検知された水槽の温水温度と第１の記憶手段に記憶された所定温度とを比較して、温水温度が所定温度に達しているときに前記循環ポンプならびに前記送風ファンを動作させる作動手段と、前記水温検知部により検知された循環ポンプならびに前記送風ファンの動作による前記温水温度の変化を第２の記憶手段に記憶させた温度差と比較し前記循環ポンプの故障を判定する判定手段とを前記マイクロコンピュータにより構成したものである。
【００１１】
第２の発明に係る加熱気化式加湿機では、常時一定量の水を収容する水槽と、前記水槽内の水を加熱し温水とするヒーターと、前記温水の温度を測定する水温検知部と、前記水槽の水を気化するための気化エレメントと、前記水槽内の水を汲み上げて前記気化エレメントに給水する循環ポンプと、前記気化エレメントを通して送風を外部に放出する送風ファンとを備え、マイクロコンピュータにより制御を行うものにおいて、前記水温検知部により検知された水槽の温水温度と第１の記憶手段に記憶された所定温度とを比較して、温水温度が所定温度に達していないときはヒーターを動作させ、温水温度が所定温度に達するとヒーターを不動作とするとともに、前記循環ポンプならびに前記送風ファンを動作させる作動手段と、前記水温検知部により検知された循環ポンプならびに前記送風ファンの動作による前記温水温度の変化を第２の記憶手段に記憶させた温度差と比較し前記循環ポンプの故障を判定する判定手段とを前記マイクロコンピュータにより構成したものである。
【００１２】
第３の発明に係る加熱気化式加湿機では、前記判定手段による循環ポンプの故障判定回数を計数し、計数された故障判定回数が規定回数以上のとき循環ポンプが故障状態であると決定づける決定手段を設けたものである。
【００１３】
第４の発明に係る加熱気化式加湿機の故障検知方法では、常時一定量の水を収容する水槽と、前記水槽内の水を加熱し温水とするヒーターと、前記温水の温度を測定する水温検知部と、気化エレメントと、前記水槽内の水を汲み上げて前記気化エレメントに給水する循環ポンプと、前記気化エレメントを通して送風を外部に放出する送風ファンとを備えた加熱気化式加湿機の故障を検知するにあたり、前記循環ポンプならびに前記送風ファンの動作による温水温度の変化を前記水温検知部において検知し、その結果により前記循環ポンプの故障を判定するようにしたものである。
【００１４】
第５の発明に係る加熱気化式加湿機の故障検知方法では、常時一定量の水を収容する水槽と、前記水槽内の水を加熱し温水とするヒーターと、前記温水の温度を測定する水温検知部と、気化エレメントと、前記水槽内の水を汲み上げて前記気化エレメントに給水する循環ポンプと、前記気化エレメントを通して送風を外部に放出する送風ファンとを備えた加熱気化式加湿機の故障を検知するにあたり、前記温水温度が所定温度に達した後に前記循環ポンプならびに前記送風ファンを動作させ、その後の温水温度の変化を前記水温検知部において検知し、その結果により前記循環ポンプの故障を判定するようにしたものである。
【００１５】
第６の発明に係る加熱気化式加湿機の故障検知方法では、常時一定量の水を収容する水槽と、前記水槽内の水を加熱し温水とするヒーターと、前記温水の温度を測定する水温検知部と、気化エレメントと、前記水槽内の水を汲み上げて前記気化エレメントに給水する循環ポンプと、前記気化エレメントを通して送風を外部に放出する送風ファンとを備えた加熱気化式加湿機の故障を検知するにあたり、前記温水温度が所定温度に達した後に前記ヒーターを不動作とするとともに前記循環ポンプならびに前記送風ファンを動作させ、その後の温水温度の変化を前記水温検知部において検知し、その結果により前記循環ポンプの故障を判定するようにしたものである。
【００１６】
第７の発明に係る加熱気化式加湿機の故障検知方法では、常時一定量の水を収容する水槽と、前記水槽内の水を加熱し温水とするヒーターと、前記温水の温度を測定する水温検知部と、気化エレメントと、前記水槽内の水を汲み上げて前記気化エレメントに給水する循環ポンプと、前記気化エレメントを通して送風を外部に放出する送風ファンとを備えた加熱気化式加湿機の故障を検知するにあたり、前記温水温度が所定温度に達していないときは前記ヒーターを動作させ、前記温水温度が所定温度に達すると前記ヒーターを不動作とするとともに前記循環ポンプならびに前記送風ファンを動作させ、その後の温水温度の変化を前記水温検知部において検知し、その結果により前記循環ポンプの故障を判定するようにしたものである。
【００１７】
第８の発明に係る加熱気化式加湿機の故障検知方法では、前記温水温度の変化を前記水温検知部において複数回検知し、その結果により規定回数以上前記循環ポンプが故障とみなされた場合、前記循環ポンプの故障を決定するようにしたものである。
【００１８】
【発明の実施の形態】
実施の形態１．
この発明による実施の形態１を図１および図２に基づいて説明する。
図１は、この発明による実施の形態１における加熱気化式加湿機の循環ポンプ故障検知方法を実施する制御装置の構成図である。
図中、１はマイコンであって、メモリ２，ＣＰＵ３，入力回路４および出力回路５を有しており、前記メモリ２に記憶されたプログラムにより前記ＣＰＵ３の機能によって加湿機の制御を行う。
７は水槽であり、常時一定量の水を収容する。６は水槽７内の水を加熱し温水とする為のヒーターであり、１１は水温検知部である水温サーミスタで、ヒーター６により加熱された温水の温度Ｔ１を測定し、測定結果をマイコン１の入力回路４に対して出力する。また、マイコン１のメモリ２には所定の温度Ｔ２が記憶されており、ＣＰＵ３において所定温度Ｔ２と入力回路４から読込まれた温水温度Ｔ１とを比較する。
【００１９】
８は気化エレメントであり、温水を給水することにより加湿を行う。９は循環ポンプであり、水槽７内の温水を気化エレメント８へ供給し、循環させる。１０は送風ファンであり、気化エレメント８に向けて送風をすることにより加湿量を増加させる。
【００２０】
次に、動作について説明する。
図２は、実施の形態１における加熱気化式加湿機の循環ポンプ故障検知方法を示すフローチャートである。
【００２１】
まず、ステップＳ１から循環ポンプ故障検知工程が開始されると、ステップＳ２に移行する。
ステップＳ２では、マイコン１の出力回路５からヒーター６をオンさせる信号、および、送風ファン１０，循環ポンプ９をオフさせる信号が出力される。
マイコン１のＣＰＵ３は、ヒーター６をオンまたはオフさせる信号を出力回路５に導出するとともに、送風ファン１０，循環ポンプ９をオフまたはオンさせる信号を出力回路５に導出する作動手段としての機能を有し、ステップＳ２への移行に応じて、ヒーター６をオンさせる信号、および、送風ファン１０，循環ポンプ９をオフさせる信号を出力回路５に導出するのである。
【００２２】
次に、ステップＳ３では、ステップＳ２において加熱された温水の温度Ｔ１を水温検知部１１で測定し、測定結果をマイコン１の入力回路４に対して出力する。
ステップＳ４では、ステップＳ３で測定された温水温度Ｔ１と、予めメモリ２に記憶された所定温度Ｔ２をＣＰＵ３で比較する。
マイコン１におけるＣＰＵ３の機能としての前記作動手段は、水温検知部１１で検知された水槽７内の温水の温度Ｔ１と、メモリ２の記憶領域で構成された第１の記憶手段に予め記憶された所定温度Ｔ２とを比較するのである。
この比較結果がＴ１≧Ｔ２と判定された場合にはステップＳ５に移行する。逆に、Ｔ１≧Ｔ２と判定されなかった場合はステップＳ３に移行し、再度、温水温度Ｔ１の測定を行う。
【００２３】
ステップＳ５では、マイコン１の出力回路５からヒーター６をオフさせ、送風ファン１０，循環ポンプ９をオンさせる信号が出力される。
マイコン１におけるＣＰＵ３の機能としての前記作動手段は、水温検知部１１で検知された水槽７内の温水の温度Ｔ１が、メモリ２の記憶領域で構成された第１の記憶手段に予め記憶された所定温度Ｔ２に達しているとして、ヒーター６をオフさせ、送風ファン１０，循環ポンプ９をオンさせる信号を出力回路５に導出するのである。
これにより、ステップＳ３〜Ｓ４で加熱された温水は循環ポンプ９により気化エレメント８に供給され、気化エレメント８において送風ファン１０より発生した風により気化熱を奪われ水温は低下する。
【００２４】
ステップＳ６では、ステップＳ５で低下した温水温度Ｔ３を水温検知部１１で測定し、測定結果をマイコン１の入力回路４に対して出力する。
ステップＳ７では、ステップＳ６で測定された温水温度Ｔ３と所定温度Ｔ２を比較し、予めメモリ２に記憶された温度差ΔＴよりも温度差（Ｔ２−Ｔ３）が有るかどうかをＣＰＵ３で判定する。
このとき、（Ｔ２−Ｔ３）≧ΔＴと判定された場合、循環ポンプ９は正常に動作していると見なし、ステップＳ８に移行して加湿制御を続行する。
これに対して、（Ｔ２−Ｔ３）≧ΔＴと判定されなかった場合、循環ポンプ９は故障していると見なし、ステップＳ９に移行して加湿制御を停止させる。
マイコン１のＣＰＵ３は、ステップＳ６で水温検知部１１により検知された温水温度Ｔ２と、メモリ２の記憶領域で構成された第１の記憶手段に予め記憶された所定温度Ｔ２とを比較し、その温度差（Ｔ２−Ｔ３）がメモリ２の記憶領域で構成された第２の記憶手段に予め記憶された温度差ΔＴ以上であるかどうかを検出して、（Ｔ２−Ｔ３）≧ΔＴであれば、循環ポンプ９は正常に動作していると見なし、ステップＳ８に移行して加湿制御を続行し、（Ｔ２−Ｔ３）≧ΔＴと判定されなかった場合、循環ポンプ９は故障していると見なし、ステップＳ９に移行して加湿制御を停止させる判定手段としての機能を有しているものである。
【００２５】
これにより、循環ポンプ９が故障し、気化エレメント８へ給水が行われていない場合には確実に加湿制御を停止させることができ、循環ポンプ９が正常に動作し、気化エレメント８へ給水が行われている場合のみ加湿制御を行うことができる。
【００２６】
実施の形態２．
この発明による実施の形態２を図３について説明する。
上述した実施の形態１での説明では、温水温度Ｔ３と所定温度Ｔ２の比較結果が（Ｔ２−Ｔ３）≧ΔＴと判定されなかった場合、即座に循環ポンプ９を故障としているが、これを複数回（Ｔ２−Ｔ３）≧ΔＴが判定されなかった後に、循環ポンプ９の故障を判定しても良い。
【００２７】
この発明による実施の形態２の加熱気化式加湿機の循環ポンプ故障検知方法を実施する構成図は、前記メモリ２に記憶されたプログラム内容を除き、図１で示した実施の形態１と同様であり、その説明は省略する。
【００２８】
次に、動作について説明する。
図３は、実施の形態２における加熱気化式加湿機の循環ポンプ故障検知方法を示すフローチャートである。
【００２９】
まず、ステップＳ１から循環ポンプ故障検知工程が開始されると、ステップＳ２に移行する。
ステップＳ２では、マイコン１の出力回路５からヒーター６をオンさせる信号、および、送風ファン１０，循環ポンプ９をオフさせる信号が出力される。
マイコン１のＣＰＵ３は、ヒーター６をオンまたはオフさせる信号を出力回路５に導出するとともに、送風ファン１０，循環ポンプ９をオフまたはオンさせる信号を出力回路５に導出する作動手段としての機能を有し、ステップＳ２への移行に応じて、ヒーター６をオンさせる信号、および、送風ファン１０，循環ポンプ９をオフさせる信号を出力回路５に導出するのである。
【００３０】
次に、ステップＳ３では、ステップＳ２において加熱された温水の温度Ｔ１を水温検知部１１で測定し、測定結果をマイコン１の入力回路４に対して出力する。
ステップＳ４では、ステップＳ３で測定された温水温度Ｔ１と、予めメモリ２に記憶された所定温度Ｔ２をＣＰＵ３で比較する。
マイコン１におけるＣＰＵ３の機能としての前記作動手段は、水温検知部１１で検知された水槽７内の温水の温度Ｔ１と、メモリ２の記憶領域で構成された第１の記憶手段に予め記憶された所定温度Ｔ２とを比較するのである。
この比較結果がＴ１≧Ｔ２の場合にはステップＳ５に移行する。逆に、Ｔ１≧Ｔ２と判定されなかった場合はステップＳ３に移行し、再度、温水温度Ｔ１の測定を行う。
【００３１】
ステップＳ５ではマイコン１の出力回路５よりヒーター６をオフさせ、送風ファン１０，循環ポンプ９をオンさせる信号が出力される。
マイコン１におけるＣＰＵ３の機能としての前記作動手段は、水温検知部１１で検知された水槽７内の温水の温度Ｔ１が、メモリ２の記憶領域で構成された第１の記憶手段に予め記憶された所定温度Ｔ２に達しているとして、ヒーター６をオフさせ、送風ファン１０，循環ポンプ９をオンさせる信号を出力回路５に導出するのである。
これにより、ステップＳ３〜Ｓ４で加熱された温水は循環ポンプ９により気化エレメント８に供給され、気化エレメント８において送風ファン１０より発生した風により気化熱を奪われ水温は低下する。
【００３２】
ステップＳ６では、ステップＳ５で低下した温水温度Ｔ３を水温検知部１１で測定し、測定結果をマイコン１の入力回路４に対して出力する。
ステップＳ７では、ステップＳ６で測定された温水温度Ｔ３と所定温度Ｔ２を比較し、予めメモリ２に記憶された温度差ΔＴよりも温度差（Ｔ２−Ｔ３）が有るかどうかをＣＰＵ３で判定する。
このとき、（Ｔ２−Ｔ３）≧ΔＴと判定された場合、循環ポンプ９は正常に動作していると見なし、ステップＳ８に移行して加湿制御を続行する。
【００３３】
これに対して、（Ｔ２−Ｔ３）≧ΔＴと判定されなかった場合、循環ポンプ９の故障の疑いありとして、ステップＳ７ａにおいて、変数である比較カウンタＹに１をプラスする。
ステップＳ７ｂにおいて、この１をプラスされた比較カウンタ値Ｙとメモリ２に記憶されている規定回数Ｘとが比較され、比較カウンタ値Ｙがメモリ２に記憶されている規定回数Ｘよりも小さい場合はステップＳ６へ戻り、再度、温水温度Ｔ３の測定を行い、ステップＳ７により温水温度Ｔ３と所定温度Ｔ２との比較を行う。
【００３４】
これに対して、比較カウンタ値Ｙがメモリ２に記憶されている規定回数Ｘよりも大きい場合には、循環ポンプ９は故障していると見なし、ステップＳ９に移行して加湿制御を停止させる。
【００３５】
マイコン１のＣＰＵ３は、メモリ２に記憶されたプログラムにより動作し、ステップＳ６で水温検知部１１により検知された温水温度Ｔ２と、メモリ２の記憶領域で構成された第１の記憶手段に予め記憶された所定温度Ｔ２とを比較し、その温度差（Ｔ２−Ｔ３）がメモリ２の記憶領域で構成された第２の記憶手段に予め記憶された温度差ΔＴ以上であるかどうかを検出して、（Ｔ２−Ｔ３）≧ΔＴであれば、循環ポンプ９は正常に動作していると見なし、ステップＳ８に移行して加湿制御を続行し、（Ｔ２−Ｔ３）≧ΔＴと判定されなかった場合、循環ポンプ９は故障している疑いがあるとして、比較カウンタ値Ｙに１を加算する判定手段としての機能を有しているものである。
そして、マイコン１のＣＰＵ３は、比較カウンタ値Ｙと、メモリ２の記憶領域で構成された規定回数記憶手段に記憶されている規定回数とを比較し、比較カウンタ値Ｙが規定回数記憶手段に記憶されている規定回数以上である場合には、循環ポンプ９は故障状態にあると決定づける決定手段としての機能をも有している。
【００３６】
これにより、確実に循環ポンプの故障を検知することができ、循環ポンプ故障の誤判定を防ぐことができる。
【００３７】
【発明の効果】
第１の発明によれば、マイクロコンピュータによって、循環ポンプならびに送風ファンの動作による温水温度の変化により循環ポンプの故障を判定するようにしたので、循環ポンプの故障を流量計を用いることなく的確に検知できる加熱気化式加湿機を得ることができる。
【００３８】
第２の発明によれば、マイクロコンピュータによって、ヒーターの動作を制御するとともに、循環ポンプならびに送風ファンの動作による温水温度の変化により循環ポンプの故障を判定するようにしたので、循環ポンプの故障を流量計を用いることなくより的確に検知できる加熱気化式加湿機を得ることができる。
【００３９】
第３の発明によれば、第１または第２の発明において、故障判定回数が規定回数以上のとき循環ポンプが故障状態であると決定づけるようにしたので、循環ポンプの故障を流量計を用いることなく更に的確に検知できる加熱気化式加湿機を得ることができる。
【００４０】
第４の発明によれば、循環ポンプならびに送風ファンの動作による温水温度の変化により循環ポンプの故障を判定するようにしたので、循環ポンプの故障を的確、かつ、容易に検知できる加熱気化式加湿機の故障検知方法を得ることができる。
【００４１】
第５の発明によれば、温水温度の所定温度到達後における循環ポンプならびに送風ファンの動作による温水温度の変化により循環ポンプの故障を判定するようにしたので、循環ポンプの故障をより的確に、かつ、容易に検知できる加熱気化式加湿機の故障検知方法を得ることができる。
【００４２】
第６の発明によれば、温水温度の所定温度到達後でヒーター不動作状態における循環ポンプならびに送風ファンの動作による温水温度の変化により循環ポンプの故障を判定するようにしたので、循環ポンプの故障をより的確に、かつ、容易に検知できる加熱気化式加湿機の故障検知方法を得ることができる。
【００４３】
第７の発明によれば、ヒーター動作による温水温度の所定温度到達後でヒーター不動作状態における循環ポンプならびに送風ファンの動作による温水温度の変化により循環ポンプの故障を判定するようにしたので、循環ポンプの故障をより的確に、かつ、容易に検知できる加熱気化式加湿機の故障検知方法を得ることができる。
【００４４】
第８の発明によれば、第４ないし第７の発明のいずれかにおいて、故障判定回数が規定回数以上のとき循環ポンプが故障状態であると決定するようにしたので、循環ポンプの故障を更に的確に、かつ、容易に検知できる加熱気化式加湿機の故障検知方法を得ることができる。
【図面の簡単な説明】
【図１】  この発明による実施の形態１の加熱気化式加湿機の循環ポンプ故障検知方法を実施する構成図である。
【図２】  この発明による実施の形態１の加熱気化式加湿機の循環ポンプ故障検知方法を示すフローチャートである。
【図３】  この発明による実施の形態２の加熱気化式加湿機の循環ポンプ故障検知方法を示すフローチャートである。
【図４】  従来の加熱気化式加湿機の循環ポンプ故障検知方法を実施する構成図である。
【図５】  従来の加熱気化式加湿機の循環ポンプ故障検知方法を示すフローチャートである。
【符号の説明】
１  マイクロコンピュータ、２  メモリ、３  ＣＰＵ、４  入力回路、５  出力回路、６  ヒーター、７  水槽、８  気化エレメント、９  循環ポンプ、１０送風ファン、１１  水温サーミスタ（水温検知部）、１２  流量計。
【図１】
0003841632.tif 000002
【図２】
0003841632.tif 000003
【図３】
0003841632.tif 000004
【図４】
0003841632.tif 000005
【図５】
0003841632.tif 000006